(57)【要約】【課題】内壁面に水に含まれる油脂分が付着しにくい排水トラップを提供する。【解決手段】排水トラップ１は、第１パイプ２と、第２パイプ３と、第３パイプ４と、が並設される。第１パイプ２は、下流側に向けて下り傾斜または下向きとなり内部空間が第１流路２０となる。第２パイプ３は、第１パイプ２の下流側に位置し、下流側に向けて上り傾斜または上向きとなり内部空間が第２流路３０となる。第３パイプ４は、第２パイプ３の下流側に位置し、下流側に向けて下り傾斜または下向きとなり内部空間が第３流路４０となる。第３パイプ４の内壁面４１のうち、第２パイプ３が位置する側の内壁面４１１の上部のいずれかの箇所に、誘導リブ７が設けられる。誘導リブ７は、第２パイプ３が位置する側と反対側の面７１が先端７３側に向けて下り傾斜または下向きとなるとともに先端７３が内壁面４１１から離間する。【選択図】図１
2018035544.tif 000002
【特許請求の範囲】
【請求項１】
下流側に向けて下り傾斜または下向きとなり内部空間が第１流路となる第１パイプと、
前記第１パイプの下流側に位置し、下流側に向けて上り傾斜または上向きとなり内部空間が第２流路となる第２パイプと、
前記第２パイプの下流側に位置し、下流側に向けて下り傾斜または下向きとなり内部空間が第３流路となる第３パイプと、が並設され、
前記第３パイプの内壁面のうち、前記第２パイプが位置する側の前記内壁面の上部のいずれかの箇所に、前記第２パイプが位置する側と反対側の面が先端側に向けて下り傾斜または下向きとなるとともに先端が前記内壁面から離間する誘導リブが設けられる
ことを特徴とする排水トラップ。
【請求項２】
前記第３パイプが下流側に向けて下り傾斜し、前記第３パイプの前記内壁面のうち前記第２パイプが位置する側の前記内壁面の法線が、水平よりも下側を向く
ことを特徴とする請求項１記載の排水トラップ。
【請求項３】
前記誘導リブの前記第２パイプが位置する側と反対側の前記面と前記第２パイプが位置する側の面とが鋭角をなす
ことを特徴とする請求項１または２記載の排水トラップ。
【請求項４】
前記第３パイプの前記内壁面のうち前記第２パイプが位置する側の前記内壁面の上端部に、前記誘導リブが設けられる
ことを特徴とする請求項１〜３のいずれか一項に記載の排水トラップ。
【請求項５】
前記第３パイプを構成する側壁の前記第２パイプが位置する側の部分と、前記第２パイプを構成する側壁の前記第３パイプが位置する側の部分とが、同一の壁により兼用されている
ことを特徴とする請求項１〜４のいずれか一項に記載の排水トラップ。
【発明の詳細な説明】
【技術分野】
【０００１】
本発明は、排水トラップに関する。
【背景技術】
【０００２】
従来、下向きに水が流れる第１パイプと、上向きに水が流れる第２パイプと、下向きに水が流れる第３パイプと、を上流側より順に有する排水トラップが知られている（例えば特許文献１参照）。
【０００３】
このような排水トラップにあっては、排水トラップ内に水が満たされているときには、排水トラップの内壁面に水に含まれる油脂分が付着しにくい。
【先行技術文献】
【特許文献】
【０００４】
【特許文献１】２０１３−１９９７８６号公報
【発明の概要】
【発明が解決しようとする課題】
【０００５】
しかし、排水トラップ内を流れる水の量が減少してくると、図２に示すように、排水トラップ９１の内壁面９４を水８が少しずつ伝うように流下する。このとき、排水トラップ９１の内壁面９４に、水８に含まれる油脂分が付着しやすいものであった。
【０００６】
本発明は上記従来の問題点に鑑みて発明したものであって、内壁面に水に含まれる油脂分が付着しにくい排水トラップを提供することを目的とする。
【課題を解決するための手段】
【０００７】
本発明の一形態に係る排水トラップは、第１パイプと、第２パイプと、第３パイプと、が並設される。前記第１パイプは、下流側に向けて下り傾斜または下向きとなり内部空間が第１流路となる。前記第２パイプは、前記第１パイプの下流側に位置し、下流側に向けて上り傾斜または上向きとなり内部空間が第２流路となる。前記第３パイプは、前記第２パイプの下流側に位置し、下流側に向けて下り傾斜または下向きとなり内部空間が第３流路となる。前記第３パイプの内壁面のうち、前記第２パイプが位置する側の前記内壁面の上部のいずれかの箇所に、誘導リブが設けられる。前記誘導リブは、前記第２パイプが位置する側と反対側の面が先端側に向けて下り傾斜または下向きとなるとともに先端が前記内壁面から離間する。
【発明の効果】
【０００８】
本発明の一形態に係る排水トラップにあっては、誘導リブが、第２パイプが位置する側の第３パイプの内壁面の誘導リブが設けられた箇所よりも下側に水が流れないように、水を誘導する。この結果、第２パイプが位置する側の第３パイプの内壁面の誘導リブが設けられた箇所よりも下側に、水に含まれる油脂分が付着するのが抑制される。
【図面の簡単な説明】
【０００９】
【図１】図１は、本発明の第１実施形態に係る排水トラップの断面図である。
【図２】図２は、従来の排水トラップにおける水の流れを説明する断面図である。
【図３】図３は、本発明の第１実施形態に係る排水トラップにおける水の流れを説明する断面図である。
【図４】図４は、本発明の第２実施形態に係る排水トラップの断面図である。
【図５】図５は、従来の他の排水トラップにおける水量が多い場合の水の流れを説明する断面図である。
【図６】図６は、同上の従来の排水トラップにおける水量が少ない場合の水の流れを説明する断面図である。
【図７】図７は、本発明の第２実施形態に係る排水トラップにおける水量が多い場合の水の流れを説明する断面図である。
【図８】図８は、同上の排水トラップにおける水量が少ない場合の水の流れを説明する断面図である。
【図９】図９は、誘導リブの変形例を示す排水トラップの要部断面図である。
【図１０】図１０は、誘導リブの他の変形例を示す排水トラップの要部断面図である。
【図１１】図１１は、誘導リブのさらに他の変形例を示す排水トラップの要部断面図である。
【図１２】図１２は、誘導リブのさらに他の変形例を示す排水トラップの要部断面図である。
【発明を実施するための形態】
【００１０】
第１実施形態に係る排水トラップについて、図１〜図３に基いて説明する。
【００１１】
図１に示すように、排水トラップ１は、第１パイプ２と、第２パイプ３と、第３パイプ４と、が並設されるものである。
【００１２】
第１パイプ２は、排水トラップ１の使用状態において、下流側に向けて下向き（鉛直下向き）となるように設けられ、内部空間が第１流路２０となる。第１流路２０は、内部を流れる水の流れ（以下、単に流れという）の向きが下向きとなる。
【００１３】
パイプ（第１パイプ２、第２パイプ３、第３パイプ４、後述する第１接続パイプ５、第２接続パイプ６）は、流れ方向に垂直な断面における形状が円形状をしている。これらのパイプの内部に形成される第１流路２０、後述する第２流路３０、第３流路４０、第１接続流路５０および第２接続流路６０は、流れ方向の任意の位置の断面において、同じ形状（円形状）であるとともに同じ大きさをしている。これらのパイプは、樹脂からなるもので、一体に形成されて排水トラップ１が構成されている。
【００１４】
第２パイプ３は、第１パイプ２の下流側に位置する。第２パイプ３は、排水トラップ１の使用状態において、下流側に向けて上向き（鉛直上向き）となるように設けられ、内部空間が第２流路３０となる。第２流路３０は、流れの向きが上向きとなる。
【００１５】
また、排水トラップ１は、第１パイプ２の下流端と第２パイプ３の上流端との間に第１接続パイプ５を備える。第１接続パイプ５は、内部空間が第１接続流路５０となる。第１接続パイプ５は、流れの向きを、第１流路２０の流れの向きから第２流路３０の流れの向きに転換させるものである。
【００１６】
第１接続流路５０の上流端５１は第１流路２０の下流端に連続する。第１接続流路５０の上流端５１では、流れの向きが、第１流路２０の流れの向きと同じである。
【００１７】
また、第１接続流路５０の下流端５２は第２流路３０の上流端に連続する。第１接続流路５０の下流端５２では、流れの向きが、第２流路３０の流れの向きと同じである。
【００１８】
第１接続パイプ５の上流端５１と下流端５２の間の中間部５３は、流れの向きが一定の曲率で変化する。
【００１９】
第３パイプ４は、第２パイプ３の下流側に位置する。第３パイプ４は、排水トラップ１の使用状態において、下流側に向けて下向き（鉛直下向き）となるように設けられ、内部空間が第３流路４０となる。第３流路４０は、流れの向きが下向きとなる。
【００２０】
また、排水トラップ１は、第２パイプ３の下流端と第３パイプ４の上流端との間に第２接続パイプ６を備える。第２接続パイプ６は、内部空間が第２接続流路６０となる。第２接続パイプ６は、流れの向きを、第２流路３０の流れの向きから第３流路４０の流れの向きに転換させるものである。
【００２１】
第２接続流路６０の上流端６１は第２流路３０の下流端に連続する。第２接続流路６０の上流端６１では、流れの向きが、第２流路３０の流れの向きと同じである。
【００２２】
また、第２接続流路６０の下流端６２は第３流路４０の上流端に連続する。第２接続流路６０の下流端６２では、流れの向きが、第３流路４０の流れの向きと同じである。
【００２３】
第２接続パイプ６の上流端６１と下流端６２の間の中間部６３は、流れの向きが一定の曲率で変化する。
【００２４】
また、第１パイプ２の上流端に、第１パイプ２の外径および内径よりもそれぞれ大きい外径および内径を有するパイプ状をした上流側接続部１１が一体に設けられている。
【００２５】
また、第３パイプ４の下流端に、第３パイプ４の外径および内径よりもそれぞれ大きい外径および内径を有するパイプ状をした下流側接続部１２が一体に設けられている。
【００２６】
第３パイプ４の内壁面４１のうち、第２パイプ３が位置する側の内壁面４１１の上端部に、誘導リブ７が設けられる。誘導リブ７は、第２パイプ３が位置する側と反対側の面７１が先端７３側に向けて下り傾斜するとともに、先端７３が内壁面４１１から離間する。第１実施形態では、誘導リブ７は、第２パイプ３が位置する側の面７２も、先端７３側に向けて下り傾斜するとともに、下端となる先端７３が内壁面４１１から離間する。第２パイプ３が位置する側と反対側の面７１と第２パイプ３が位置する側の面７２とが鋭角をなしている（面７１の法線ベクトルと面７２の法線ベクトルとが１８０°より少し小さい角度をなしている）。
【００２７】
誘導リブ７は、第３パイプ４と同様の樹脂からなるもので、第３パイプ４と一体に形成されている。
【００２８】
誘導リブ７の効果について説明する。図２に、誘導リブ７が設けられない従来の排水トラップ９１を示す。誘導リブ７が設けられない排水トラップ９１にあっては、排水トラップ９１内に水８が満たされているときには、排水トラップ９１の内壁面には、排水トラップ９１内を流れる水８に含まれる油脂分が付着しにくい。
【００２９】
しかし、排水トラップ９１内を流れる水８の量が減少して水８の流れが停止する少し前から水８の流れが停止するまで（以下、流れの停止前という）は、第３パイプ９２の内壁面のうち第２パイプ９３が位置する側の内壁面９４を、水８が少しずつ伝うように流れる。このとき、第２パイプ９３が位置する側の内壁面９４に、伝うように流れる水８に含まれる油脂分が付着しやすい。
【００３０】
これに対して、第１実施形態では、図１に示すように、排水トラップ１に誘導リブ７が設けられている。排水トラップ１内に水８が満たされているときには、排水トラップ１の内壁面１０には、水８に含まれる油脂分が付着しにくい。流れの停止前においては、図３に示すように、第３パイプ４の内壁面４１のうち第２パイプ３が位置する側の内壁面４１１を伝おうとする水８は、誘導リブ７の第２パイプ３が位置する側と反対側の面７１を伝う。誘導リブ７の第２パイプ３が位置する側と反対側の面７１は、上述したとおり先端７３側に向けて下り傾斜するとともに先端７３が内壁面４１１から離間する。このため、誘導リブ７の第２パイプ３が位置する側と反対側の面７１を伝う水８は、第２パイプ３が位置する側の内壁面４１１を伝わず、誘導リブ７の先端７３（下端）から下方へ落下する。すなわち、第２パイプ３が位置する側の内壁面４１１の誘導リブ７が設けられた箇所よりも下側には、水８が流れない。誘導リブ７は、第２パイプ３が位置する側の内壁面４１１の誘導リブ７が設けられた箇所よりも下側に水８が流れないように水８を誘導するものである。この結果、第２パイプ３が位置する側の内壁面４１１の誘導リブ７が設けられた箇所よりも下側に、水８に含まれる油脂分が付着するのが抑制される。
【００３１】
次に、第２実施形態に係る排水トラップ１について、図４〜図８に基いて説明する。なお、第２実施形態の排水トラップ１は、大部分において第１実施形態の排水トラップ１と同じであるため、同じ構成については同符号を用いて説明を省略し、主に異なる構成について説明する。
【００３２】
第１パイプ２は、第１実施形態では、図１に示すように、下流側に向けて下向きとなるように設けられるのに対して、第２実施形態では、図４に示すように、下流側に向けて下り傾斜するように設けられる。
【００３３】
第２パイプ３は、第１実施形態では、図１に示すように、下流側に向けて上向きとなるように設けられるのに対して、第２実施形態では、図４に示すように、下流側に向けて上り傾斜するように設けられる。
【００３４】
第３パイプ４は、第１実施形態では、図１に示すように、下流側に向けて下向きとなるように設けられるのに対して、第２実施形態では、図４に示すように、下流側に向けて下り傾斜するように設けられる。第３パイプ４の第２パイプ３が位置する側の内壁面４１１の法線４１２が、水平よりも下側を向く。
【００３５】
誘導リブ７の第２パイプ３が位置する側と反対側の面７１は、第１実施形態では、図１に示すように、下流側に向けて下り傾斜するように設けられるのに対して、第２実施形態では、図４に示すように、下流側に向けて下向きとなるように設けられる。
【００３６】
また、第２実施形態では、第２パイプ３を構成する側壁の第１パイプ２が位置する側の部分３１と、第１パイプ２を構成する側壁の第２パイプ３が位置する側の部分２１とが、同一の壁１３により兼用されている。
【００３７】
さらに、第３パイプ４を構成する側壁の第２パイプ３が位置する側の部分４２と、第２パイプ３を構成する側壁の第３パイプ４が位置する側の部分３２とが、同一の壁１４により兼用されている。
【００３８】
誘導リブ７の効果について説明する。図５に、誘導リブ７が設けられない従来の排水トラップ９５を示す。誘導リブ７が設けられない排水トラップ９５にあっては、排水トラップ９５内を大量の水８が流れるときには、第３パイプ９６の内壁面のうち第２パイプ９７が位置する側の内壁面９８には水８があまり流れない。このため、第３パイプ９６の内壁面のうち第２パイプ９７が位置する側の内壁面９８には水８に含まれる油脂分が付着しにくい。また、第３パイプ９６の内壁面のうち第２パイプ９７が位置する側と反対側の内壁面には水８が少しずつ伝うように流れるわけではないため、この内壁面にも水８に含まれる油脂分が付着しにくい。
【００３９】
しかし、流れの停止前には、図６に示すように、第３パイプ９６の内壁面のうち第２パイプ９７が位置する側の内壁面９８を、水８が少しずつ伝うように流れる。このとき、第２パイプ９７が位置する側の内壁面９８に、伝うように流れる水８に含まれる油脂分が付着しやすい。
【００４０】
これに対して、第２実施形態では、排水トラップ１に誘導リブ７が設けられている。図７に示すように、排水トラップ１内を大量の水８が流れるときには、第３パイプ４の内壁面４１のうち第２パイプ３が位置する側の内壁面４１１には水８があまり流れない。このため、第３パイプ４の内壁面４１のうち第２パイプ３が位置する側の内壁面４１１には水８に含まれる油脂分が付着しにくい。また、第３パイプ４の内壁面４１のうち第２パイプ３が位置する側と反対側の内壁面４１には水８が少しずつ伝うように流れるわけではないため、この内壁面４１にも水８に含まれる油脂分が付着しにくい。
【００４１】
また、流れの停止前において、図８に示すように、第３パイプ４の内壁面４１のうち第２パイプ３が位置する側の内壁面４１１を伝おうとする水８は、誘導リブ７の第２パイプ３が位置する側と反対側の面７１を伝う。誘導リブ７の第２パイプ３が位置する側と反対側の面７１は、上述したとおり先端７３側に向けて下向きとなるとともに先端７３が内壁面４１１から離間する。このため、誘導リブ７の第２パイプ３が位置する側と反対側の面７１を伝う水８は、第２パイプ３が位置する側の内壁面４１１を伝わず、誘導リブ７の先端７３（下端）から下方へ落下する。この結果、第２パイプ３が位置する側の内壁面４１１の誘導リブ７が設けられた箇所よりも下側に、水８に含まれる油脂分が付着するのが抑制される。
【００４２】
以下、第１実施形態または第２実施形態における変形例について説明する。
【００４３】
パイプ（第１パイプ２、第２パイプ３、第３パイプ４、第１接続パイプ５、第２接続パイプ６）、誘導リブ７、上流側接続部１１および下流側接続部１２の材質は、成形のしやすさから樹脂であることが好ましいが、樹脂に限定されない。また、誘導リブ７の材質が第３パイプ４と同様の材質でなくてもよい。
【００４４】
また、パイプの流れ方向に垂直な断面における形状は円形状に限定されない。
【００４５】
また、パイプの内部に形成される、第１流路２０〜第３流路４０、第１接続流路５０および第２接続流路６０は、流れ方向の任意の位置の垂直な断面において同形同大でなくてもよく、また、その形状は円形状に限定されない。また、第１流路２０〜第３流路４０、第１接続流路５０および第２接続流路６０の長さは限定されない。
【００４６】
また、第１流路２０、第２流路３０、第３流路４０におけるそれぞれの流れの向きは限定されず、一定でなくてもよい。すなわち、第１流路２０および第３流路４０におけるそれぞれの流れの向きは、上下方向における下向き成分を有していればよく、第２流路３０における流れの向きは、上下方向における上向き成分を有していればよい。
【００４７】
また、第１接続流路５０および第２接続流路６０の流れの向きの変化のし方（曲率）は限定されず、一定でなくてもよい。
【００４８】
また、第１接続流路５０および第２接続流路６０は、排水トラップ１に設けられなくてもよい。すなわち、第１流路２０の下流端と第２流路３０の上流端とが直接接続されてもよく、また、第２流路３０の下流端と第３流路４０の上流端とが直接接続されてもよい。
【００４９】
また、接続部（上流側接続部１１および下流側接続部１２）は、排水トラップ１に設けられなくてもよい。
【００５０】
また、誘導リブ７は、第３パイプ４の内壁面４１のうち第２パイプ３が位置する側の上端部に設けられなくてもよく、第３パイプ４の内壁面４１のうち第２パイプ３が位置する側の内壁面４１１の上部（少なくとも上半分、好ましくは上から１／３までの部分）のいずれかの箇所に設けられればよい。誘導リブ７による効果は、誘導リブ７が、第３パイプ４の内壁面４１のうち第２パイプ３が位置する側の下端部より上側に設けられれば得られ、上側へいくほど、得られる効果が大きい。
【００５１】
また、誘導リブ７の第２パイプ３が位置する側と反対側の面７１の最大傾斜の向きは、上下方向における下向き成分を有していればよく、一定でなくてもよい。
【００５２】
また、排水トラップ１を流れるのは水に限定されず、液体であればよく、液体の種類は限定されない。
【００５３】
誘導リブ７の他の変形例について、図９に基いて説明する。
【００５４】
図９に示すように、誘導リブ７は、第２パイプ３が位置する側と反対側の面７１が下方向きとなっている（面７１の法線が水平を向いている）。また、誘導リブ７は、第２パイプ３が位置する側の面７２も、下方向きとなっている（面７２の法線が水平を向いている）。面７１の下端と面７２の下端との間に、下面７４が形成されている。面７１と下面７４は直角をなす。また、面７２と下面７４とは直角をなす。先端７３および面７２は、内壁面４１１から離間するものである。
【００５５】
この変形例では、第２パイプ３が位置する側と反対側の面７１を流れる水が先端７３から落下する際、第２パイプ３が位置する側の内壁面４１１に寄りにくい。
【００５６】
誘導リブ７のさらに他の変形例について、図１０に基いて説明する。
【００５７】
図１０に示すように、誘導リブ７は、図９に示す誘導リブ７において、面７１と下面７４との接続部、面７２と下面７４との接続部に面取り部７５を形成したものである。面取り部７５の半径は１ｍｍである。
【００５８】
この変形例では、第２パイプ３が位置する側と反対側の面７１を流れる水が先端７３から落下する際、第２パイプ３が位置する側の内壁面４１１に水が寄りやすいが、排水トラップ１の樹脂による成形がしやすい。
【００５９】
誘導リブ７のさらに他の変形例について、図１１に基いて説明する。
【００６０】
図１１に示すように、誘導リブ７は、図１０に示す誘導リブ７の面取り部７５の半径を２ｍｍにしたものである。
【００６１】
この変形例では、第２パイプ３が位置する側と反対側の面７１を流れる水が先端７３から落下する際、第２パイプ３が位置する側の内壁面４１１に水さらに寄りやすいが、排水トラップ１の樹脂による成形がさらにしやすい。
【００６２】
誘導リブ７のさらに他の変形例について、図１２に基いて説明する。
【００６３】
図１２に示すように、誘導リブ７は、図１１に示す誘導リブ７において、面７２が、先端７３側に向けて、内壁面４１１から離間する方向に下り傾斜する。第２パイプ３が位置する側と反対側の面７１と第２パイプ３が位置する側の面７２とが鋭角をなしている。
【００６４】
この変形例では、第２パイプ３が位置する側と反対側の面７１を流れる水が先端７３から落下する際、第２パイプ３が位置する側の内壁面４１１に水が寄りにくい。
【００６５】
以上、上述した第１実施形態、第２実施形態およびその変形例から明らかなように、本発明に係る第１の態様の排水トラップ１は、第１パイプ２と、第２パイプ３と、第３パイプ４と、が並設される。第１パイプ２は、下流側に向けて下り傾斜または下向きとなり内部空間が第１流路２０となる。第２パイプ３は、第１パイプ２の下流側に位置し、下流側に向けて上り傾斜または上向きとなり内部空間が第２流路３０となる。第３パイプ４は、第２パイプ３の下流側に位置し、下流側に向けて下り傾斜または下向きとなり内部空間が第３流路４０となる。第３パイプ４の内壁面４１のうち、第２パイプ３が位置する側の内壁面４１１の上部のいずれかの箇所に、誘導リブ７が設けられる。誘導リブ７は、第２パイプ３が位置する側と反対側の面７１が先端７３側に向けて下り傾斜または下向きとなるとともに先端７３が内壁面４１１から離間する。
【００６６】
第１の態様の排水トラップ１によれば、誘導リブ７が、第２パイプ３が位置する側の第３パイプ４の内壁面４１１の誘導リブ７が設けられた箇所よりも下側に水８が流れないように水８を誘導する。この結果、の第３パイプ４の第２パイプ３が位置する側の内壁面４１１の誘導リブ７が設けられた箇所よりも下側に、水８に含まれる油脂分が付着するのが抑制される。
【００６７】
本発明に係る第２の態様の排水トラップ１は付加的なものであり、第１の態様の排水トラップ１との組み合わせにより実現される。第２の態様の排水トラップ１は、第３パイプ４が下流側に向けて下り傾斜し、第３パイプ４の内壁面４１のうち第２パイプ３が位置する側の内壁面４１１の法線４１２が、水平よりも下側を向く。
【００６８】
第２の態様の排水トラップ１によれば、排水トラップ１が縦長または横長となるのが抑制される。
【００６９】
本発明に係る第３の態様の排水トラップ１は付加的なものであり、第１または第２の態様の排水トラップ１との組み合わせにより実現される。第３の態様の排水トラップ１は、誘導リブ７の第２パイプ３が位置する側と反対側の面７１と第２パイプ３が位置する側の面７２とが鋭角をなす。
【００７０】
第３の態様の排水トラップ１によれば、第２パイプ３が位置する側と反対側の面７１を流れる水８が先端７３から落下する際、第２パイプ３が位置する側の内壁面４１１に水８が寄りにくい。
【００７１】
本発明に係る第４の態様の排水トラップ１は付加的なものであり、第１〜第３のいずれか一つの態様の排水トラップ１との組み合わせにより実現される。第４の態様の排水トラップ１は、第３パイプ４の内壁面４１のうち第２パイプ３が位置する側の内壁面４１１の上端部に、誘導リブ７が設けられる。
【００７２】
第４の態様の排水トラップ１によれば、第３パイプ４の内壁面４１のうち第２パイプ３が位置する側の内壁面４１１において油脂分が付着しない部分を広くとることが可能となる。
【００７３】
本発明に係る第５の態様の排水トラップ１は付加的なものであり、第１〜第４のいずれか一つの態様の排水トラップ１との組み合わせにより実現される。第５の態様の排水トラップ１は、第３パイプ４を構成する側壁の第２パイプ３が位置する側の部分４２と、第２パイプ３を構成する側壁の第３パイプ４が位置する側の部分３２とが、同一の壁１４により兼用されている。
【００７４】
第５の態様の排水トラップ１によれば、排水トラップ１のコンパクト化を図ることができる。
【符号の説明】
【００７５】
１    排水トラップ
１４  壁
２    第１パイプ
２０  第１流路
３    第２パイプ
３０  第２流路
３２  部分
４    第３パイプ
４０  第３流路
４１  内壁面
４１１  内壁面
４１２  法線  
４２  部分
７    誘導リブ
７１  面
７２  面
７３  先端
【図１】
2018035544.tif 000003
【図２】
2018035544.tif 000004
【図３】
2018035544.tif 000005
【図４】
2018035544.tif 000006
【図５】
2018035544.tif 000007
【図６】
2018035544.tif 000008
【図７】
2018035544.tif 000009
【図８】
2018035544.tif 000010
【図９】
2018035544.tif 000011
【図１０】
2018035544.tif 000012
【図１１】
2018035544.tif 000013
【図１２】
2018035544.tif 000014